(57)【要約】      （修正有）【課題】セルフロックの機能を実現し、ユーザは、蓋が自動で開くことを心配せず安心して使用することができ、機能の信頼性が高く、操作が簡単で、設計が合理的で、且つロック解除部材の触感が良いセルフロック機能付きコップを提供する。【解決手段】セルフロック機能付きコップは、コップ本体と、蓋１１とを備える。蓋は、第１の蓋体１２と、第２の蓋体１３と、ロックボタンと、ロック解除部材とを含み、ロック解除部材が、ロック時にロックボタン１４と第１の蓋体１５との間に当接され、ボタンを押下することができない。【選択図】図１
0003182568.tif 000002
【実用新案登録請求の範囲】
【請求項１】
コップ本体と、蓋とを備えるセルフロック機能付きコップであって、
前記蓋は、
前記カップ本体の上部に接続され、第１端が外へ延出して第１枢着部を形成した第１の蓋体と、
第１端が第１枢着軸を介して前記第１枢着部に枢着され、第２端に第１鉤部が設けられた第２の蓋体と、
第２枢着部が設けられ、第２枢着軸を介して前記第１の蓋体の第２端に枢着するロックボタンであって、前記ロックボタンの第１端に第２鉤部が形成され、前記第２鉤部が前記第１鉤部に係着し、前記ロックボタンの第２端に凸柱が形成され、前記凸柱の周りに第１ばねが設けられ、前記第１ばねの第１端が前記ロックボタンに当接するとともに前記第１ばねの第２端が前記第１の蓋体に当接されるロックボタンと、
前記第１の蓋体の上且つ前記ロックボタンの下端に設けられ、ロック時に前記ロックボタンと前記第１の蓋体との間に当接されるロック解除部材と、
を含むことを特徴とするセルフロック機能付きコップ。
【請求項２】
前記ロック解除部材は、プル鉤とロック解除鍵とを含み、
前記第１の蓋体において前記ロックボタンの下端にスライド溝が縦方向に形成され、
前記プル鉤が前記スライド溝内に縦方向に摺設され、前記プル鉤の第１端がロック時に前記ロックボタンと前記第１の蓋体との間に当接され、前記プル鉤の第２端が前記スライド溝の底部を貫通して第３鉤部を形成し、
前記プル鉤の周りに第２ばねが設けられ、前記第２ばねの上端が前記プル鉤の第１端に当接され、前記第２ばねの下端が前記スライド溝の底部に当接され、
前記ロック解除鍵の中間部が第３枢着軸を介して前記第３鉤部に枢着され、前記ロック解除鍵の第１端がロック解除時に前記スライド溝の底部に押し付けられ、前記ロック解除鍵の第２端にロック解除シフトブロックが形成されていることを特徴とする、請求項１に記載のセルフロック機能付きコップ。
【請求項３】
前記ロック解除鍵の第２端は、ロック解除時に前記コップ本体に貼り付けられていることを特徴とする、請求項２に記載のセルフロック機能付きコップ。
【請求項４】
前記第１枢着軸にねじりばねが設けられていることを特徴とする、請求項１に記載のセルフロック機能付きコップ。
【考案の詳細な説明】
【技術分野】
【０００１】
本考案は、コップに関し、特に、セルフロック機能付きコップに関するものである。
【背景技術】
【０００２】
トリガー式の保温コップは、使用上便利で、蓋上のオープンボタンを軽く押すだけで、蓋が開かれる。しかしながら、このような保温コップは、開きやすいため、不意に自動で開くことがしばしばあり、そのため、内部の水が流出し損害が生じてしまう。
【考案の概要】
【考案が解決しようとする課題】
【０００３】
本考案が解決しようとする課題は、構造が簡単で、不意に開くことを避けられるセルフロック機能付きコップを提供することである。
【課題を解決するための手段】
【０００４】
前記技術的効果を実現するため、本考案に係るセルフロック機能付きコップは、コップ本体と、蓋とを備えるセルフロック機能付きコップであって、
前記蓋は、
前記カップ本体の上部に接続され、第１端が外へ延出して第１枢着部を形成した第１の蓋体と、
第１端が第１枢着軸を介して前記第１枢着部に枢着され、第２端に第１鉤部が設けられた第２の蓋体と、
第２枢着部が設けられ、第２枢着軸を介して前記第１の蓋体の第２端に枢着するロックボタンであって、前記ロックボタンの第１端に第２鉤部が形成され、前記第２鉤部が前記第１鉤部に係着し、前記ロックボタンの第２端に凸柱が形成され、前記凸柱の周りに第１ばねが設けられ、前記第１ばねの第１端が前記ロックボタンに当接するとともに前記第１ばねの第２端が前記第１の蓋体に当接されるロックボタンと、
前記第１の蓋体の上且つ前記ロックボタンの下端に設けられ、ロック時に前記ロックボタンと前記第１の蓋体との間に当接されるロック解除部材とを含む。
【０００５】
本考案は、さらに、以下のように改良されている。前記ロック解除部材は、プル鉤とロック解除鍵とを含み、前記第１の蓋体において前記ロックボタンの下端にスライド溝が縦方向に形成され、前記プル鉤が前記スライド溝内に縦方向に摺設され、前記プル鉤の第１端がロック時に前記ロックボタンと前記第１の蓋体との間に当接され、前記プル鉤の第２端が前記スライド溝の底部を貫通して第３鉤部を形成し、前記プル鉤の周りに第２ばねが設けられ、前記第２ばねの上端が前記プル鉤の第１端に当接され、前記第２ばねの下端が前記スライド溝の底部に当接され、前記ロック解除鍵の中間部が第３枢着軸を介して前記第３鉤部に枢着され、前記ロック解除鍵の第１端がロック解除時に前記スライド溝の底部に押し付けられ、前記ロック解除鍵の第２端にロック解除シフトブロックが形成されている。
【０００６】
本考案は、さらに、以下のように改良されている。前記ロック解除鍵の第２端は、ロック解除時に前記コップ本体に貼り付けられている。
【０００７】
本考案は、さらに、以下のように改良されている。前記第１枢着軸にねじりばねが設けられている。
【考案の効果】
【０００８】
本考案は、以上の技術案を用いることにより、以下の有利な効果を奏する。ロックボタンを押して第１の蓋体及び第２の蓋体のロックを解除することで、第２の蓋体が開かれ、ロックする時にロック解除部材がロックボタンと第１の蓋体との間に当接されることにより、ボタンを押下することができなくなり、第２の蓋体を開くことができず、セルフロックの機能を実現し、ユーザは、蓋が自動に開くことを心配せず安心して使用することができる。このような構造は、機能の信頼性が高く、操作が簡単で、設計が合理的で、且つロック解除部材の触感が良い。
【図面の簡単な説明】
【０００９】
【図１】本考案に係るセルフロック機能付きコップを示す構造図。
【図２】図１の一部を拡大して示す構造図。
【図３】本考案に係るセルフロック機能付きコップの開放過程を示す構造図。
【図４】本考案に係るセルフロック機能付きコップの開放（後の）状態を示す構造図。
【考案を実施するための形態】
【００１０】
以下に、添付図面を参照しながら具体的な実施例により本考案を詳細に説明する。
【００１１】
図１に示すように、本考案に係るセルフロック機能付きコップ１は、コップ本体１０と、蓋１１とを備え、ここで、蓋１１は、主に、第１の蓋体１２と、第２の蓋体１３と、ロックボタン１４と、ロック解除部材１５とで構成されている。コップ本体１０の上部開口端にねじ山が設けられ、第１の蓋体１２の内側にコップ本体１０の上部に対応するねじ山が設けられており、第１の蓋体１２がコップ本体１０の上部に螺合する。
【００１２】
第１の蓋体１２の第１端１２１が外へ延出して第１枢着部１９１を形成し、第２の蓋体１３の第１端１３１が第１枢着軸１６１を介して第１枢着部１９１に枢着され、第１枢着軸１６１の周りにねじりばねが設けられることにより、第２の蓋体１３が第１枢着軸１６１の回りを第１の蓋体１２上で自動で回動することができる。第１の蓋体１２の中央部が上に向かって延在して飲み口を形成し、第２の蓋体１３の内側に当該飲み口に対応して密封し水漏れを防止するためのＯリング１３０が設けられている。第２の蓋体１３の第２端１３２に第１鉤部１７１が設けられ、第１鉤部１７１の開口が外部に向かって設けられている。
【００１３】
ロックボタン１４には第２枢着部１９２が設けられるとともに、第２枢着軸１６２を介して第１の蓋体１２の第２端１２２に枢着している。図２に示すように、ロックボタン１４の第１端１４０１に第２鉤部１７２が形成され、第２鉤部１７２がロック時に第１鉤部１７１に係合され、第２の蓋体１３が開かれないように第２の蓋体１３をロックする。ロックボタン１４の第２端１４０２に凸柱１４１が形成され、凸柱１４１の周りに第１ばね１８１が設けられ、第１ばね１８１の第１端がロックボタン１４の内側に当接され、第１ばね１８１の第２端が第１の蓋体１２の外側に当接されている。ロックボタン１４の凸柱１４１の他方の側に押圧端１４２が突出して形成されている。図３及び図４に示すように、押圧端１４２を押せば、凸柱１４１の第１ばね１８１が圧縮され、ロックボタン１４が第２枢着軸１６２の回りを反時計回りに回転し、第２鉤部１７２と第１鉤部１７１とが係合位置から離脱するようになり、そして、第１枢着軸１６１上のねじりばねの付勢により、第２の蓋体１３が第１枢着軸１６１の回りを自動で回動して開けられ、ロックボタン１４が第１ばね１８１の付勢により元の位置に復帰する。ここで、第１ばね１８１が復帰しすぎることを抑制するため、ロックボタン１４に位置決めロッド１４０が設けられ、位置決めロッド１４０が第２枢着軸１６２の上方かつ第２鉤部１７２の下方に設けられており、位置決めロッド１４０は、ロックボタン１４が復帰する時に第１の蓋体１２の側壁に押さえ付けられていることで、ロックボタン１４が第２枢着軸１６２の回りを反時計回転するモーメントを付与し、ロックボタン１４の復帰位置を確保することにより、コップ１の自動開放の構造を形成する。
【００１４】
さらに、図２に示すように、ロック解除部材１５が第１の蓋体１２の上且つロックボタン１４の下端に設けられている。ロック解除部材１５は、プル鉤１５１と、ロック解除鍵１５２と、第２ばね１８２とを含み、第１の蓋体１２の第２端１２２にスライド溝１２３が縦方向に形成され、スライド溝１２３は、上部が開口するとともにロックボタン１４の下端に位置し、スライド溝１２３内にプル鉤１５１が縦方向に摺設されている。プル鉤１５１の第１端１５１１は、ロック時にロックボタン１４と第１の蓋体１２との間に当接され、スライド溝１２３の底部に開口が設けられ、プル鉤１５１の第２端１５１２がスライド溝１２３の底部を貫通して第３鉤部１７３を形成し、第３鉤部１７３の開口が第１の蓋体１２の方向に向いている。プル鉤１５１の周りに第２ばね１８２が設けられ、第２ばね１８２の上端がプル鉤１５１の第１端１５１１に当接され、第２ばね１８２の下端がスライド溝１２３の底部に当接され、第２ばね１８２がプル鉤１５１の下方向への移動に伴って圧縮されることにより、プル鉤１５１の安定的移動及び位置決めを確保するとともにシステムの離脱を防止し、復帰時に位置決めする役割を果たす。ロック解除鍵１５２の中央部が第３枢着軸１６３を介して第３鉤部１７３に枢着されて、ロック解除鍵１５２及びプル鉤１５１が第３枢着軸１６３の回りを回転することができる。図３及び図４に示すように、ロック解除鍵１５２の第１端１５２１は、ロック解除時にスライド溝１２３の底部に押し付けられ、ロック解除鍵１５２の第２端１５２２にロック解除シフトブロック１５３が形成され、ロック解除鍵１５２の第２端１５２２は、ロック解除時にコップ本体１０に貼り付けられ、位置決めの役割を果たす。
【００１５】
ロック解除鍵１５２のロック解除シフトブロック１５３を下方向に押すと、ロック解除鍵１５２とプル鉤１５１とが第３枢着軸１６３の回りを回転するとともに、ロック解除鍵１５２の第１端１５２１がスライド溝１２３の底部と抵触し、プル鉤１５１を下方向に移動させていき、第２ばね１８２が圧縮され、ロック解除鍵１５２の第２端１５２２がコップ本体１０に貼り付けられ、ロック解除鍵１５２の第１端１５２１がスライド溝１２３の底部に完全に押し付けられて、ロック解除鍵１５２が位置決めされ、プル鉤１５１の第１端１５１１がロックボタン１４から離れて、ロックボタン１４のロックが解除される。このとき、ロックボタン１４を押せば、第２の蓋体１３が第１枢着軸１６１の回りを自動で回動し開くことになり、便利かつ安全である。
【００１６】
一方、逆の操作は、第２の蓋体１３を第１枢着軸１６１回りに回転させ、元の位置まで復帰させ、第１鉤部１７１と第２鉤部１７２とを係合位置で係合し、ロック解除鍵１５２のロック解除シフトブロック１５３を上方向に動かせば、第２ばね１８２の付勢力により、第１プル鉤１５１が上方向に急速に移動し、ロックボタン１４と第１の蓋体１２との間に戻り、ロックボタン１４がロックされると、ロックボタン１４を押すことができなくなり、第２の蓋体１３が自動で開かなくなり、セルフロックの役割を果たし、ユーザは、蓋が自動で開くことを心配せず安心して使用することができる。このような構造は、機能の信頼性が高く、操作が簡単で、設計が合理的で、且つロック解除部材の触感が良い。
【符号の説明】
【００１７】
１…セルフロック機能付きコップ、
１０…コップ本体、
１１…蓋、
１２…第１の蓋体、
１３…第２の蓋体、
１４…ロックボタン、
１５…ロック解除部材、
１２１…第１端、
１２２…第２端、
１２３…スライド溝、
１３０…Ｏリング、
１３１…第１端、
１４１…凸柱、
１４２…押圧端、
１５１…プル鉤、
１５２…ロック解除鍵、
１６１…第１枢着軸、
１６２…第２枢着軸、
１６３…第３枢着軸、
１７１…第１鉤部、
１７２…第２鉤部、
１７３…第３鉤部、
１８１…第１ばね、
１８２…第２ばね、
１９１…第１枢着部、
１９２…第２枢着部、
１４０１…第１端、
１４０２…第２端、
１５１１…第１端、
１５１２…第２端、
１５２１…第１端、
１５２２…第２端。
【図１】
0003182568.tif 000003
【図２】
0003182568.tif 000004
【図３】
0003182568.tif 000005
【図４】
0003182568.tif 000006